(57)【要約】【課題】この発明は、別個に専用データ等を記録することなく、倍速再生時にも内容が判別可能なクローズドキャプション表示を行なうことができ、十分に実用に適するようにした映像再生装置及び映像再生方法を提供することを目的としている。【解決手段】グラフィック制御部１６にて、映像信号に文字情報をグラフィック文字として付加する際、記録媒体１２の倍速再生速度に応じて、文字情報の表示期間または情報量を制御する。また、映像デコーダ部１７にて、映像信号の所定ラインにクローズドキャプションデータを重畳する際、記録媒体１２の倍速再生速度に応じて、クローズドキャプションデータの情報量を制御する。【選択図】    図１
2005167426.tif 000002
【特許請求の範囲】
【請求項１】
記録媒体から映像信号とクローズドキャプションデータとを含むデータを読み取る読み取り手段と、
前記読み取り手段で読み取られたデータから映像信号とクローズドキャプションデータとをそれぞれ再生する信号処理手段と、
前記信号処理手段で再生された映像信号に、前記信号処理手段で再生されたクローズドキャプションデータの文字情報をグラフィック文字として付加するグラフィック制御手段と、
前記記録媒体の倍速再生速度に応じて、前記グラフィック制御手段により映像信号に付加される文字情報の表示期間または情報量を制御する第１の制御手段と、
前記信号処理手段で再生された映像信号の所定ラインに、前記信号処理手段で再生されたクローズドキャプションデータを重畳する映像デコーダ手段と、
前記記録媒体の倍速再生速度に応じて、前記映像デコーダ手段により映像信号の所定ラインに重畳されるクローズドキャプションデータの情報量を制御する第２の制御手段とを具備したことを特徴とする映像再生装置。
【請求項２】
前記第１の制御手段は、
前記記録媒体の低倍速再生時に、前記グラフィック制御手段により映像信号に付加される文字情報を、その表示期間が通常再生時に比べて短くなるように制御し、
前記記録媒体の高倍速再生時に、前記グラフィック制御手段により映像信号に付加される文字情報を、その表示期間が通常再生時に比べて短くなるように制御するとともに、その情報量が通常再生時に比べて少なくなるように制御することを特徴とする請求項１記載の映像再生装置。
【請求項３】
前記第１の制御手段は、前記記録媒体のｎ倍の低倍速再生時に、前記グラフィック制御手段により映像信号に付加される文字情報を、その表示期間が通常再生時に比べて１／ｎに短縮されるように制御することを特徴とする請求項１または２記載の映像再生装置。
【請求項４】
前記第１の制御手段は、前記信号処理手段で再生されたクローズドキャプションデータの所定のコントロールコードに続くキャラクタコードから、ピリオドまたはデータ無し部分または次のコントロールコードまでの単位毎に、前記グラフィック制御手段により映像信号に付加される文字情報を間引くことを特徴とする請求項１乃至３いずれかに記載の映像再生装置。
【請求項５】
前記第２の制御手段は、前記記録媒体のｎ倍の倍速再生時に、前記映像デコーダ手段により映像信号の所定ラインに重畳されるクローズドキャプションデータの情報量を、通常再生時に比べて１／ｎに間引くことを特徴とする請求項１記載の映像再生装置。
【請求項６】
前記第２の制御手段は、前記信号処理手段で再生されたクローズドキャプションデータの所定のコントロールコードに続くキャラクタコードから、ピリオドまたはデータ無し部分または次のコントロールコードまでの単位毎に、前記映像デコーダ手段により映像信号の所定のラインに重畳されるクローズドキャプションデータを間引くことを特徴とする請求項１または５記載の映像再生装置。
【請求項７】
前記記録媒体は、ＤＶＤフォーマットに基づいてデータが記録されたディスクであり、前記クローズドキャプションデータは、映像信号のライン２１に、１フレーム当たり２バイト重畳されることを特徴とする請求項１乃至６いずれかに記載の映像再生装置。
【請求項８】
記録媒体から映像信号とクローズドキャプションデータとを含むデータを読み取る工程と、
読み取られたデータから映像信号とクローズドキャプションデータとをそれぞれ再生する工程と、
再生された映像信号に再生されたクローズドキャプションデータの文字情報をグラフィック文字として付加する工程と、
前記記録媒体の倍速再生速度に応じて、映像信号に付加される文字情報の表示期間または情報量を制御する工程と、
再生された映像信号の所定ラインに再生されたクローズドキャプションデータを重畳する工程と、
前記記録媒体の倍速再生速度に応じて、前記映像信号の所定ラインに重畳されるクローズドキャプションデータの情報量を制御する工程とを具備したことを特徴とする映像再生方法。
【請求項９】
前記記録媒体の倍速再生速度に応じて、前記映像信号に付加される文字情報の表示期間または情報量を制御する工程は、
前記記録媒体の低倍速再生時に、前記映像信号に付加される文字情報を、その表示期間が通常再生時に比べて短くなるように制御し、
前記記録媒体の高倍速再生時に、前記映像信号に付加される文字情報を、その表示期間が通常再生時に比べて短くなるように制御するとともに、その情報量が通常再生時に比べて少なくなるように制御することを特徴とする請求項８記載の映像再生方法。
【請求項１０】
前記記録媒体の倍速再生速度に応じて、前記映像信号に付加される文字情報の表示期間または情報量を制御する工程は、
前記記録媒体のｎ倍の低倍速再生時に、前記映像信号に付加される文字情報を、その表示期間が通常再生時に比べて１／ｎに短縮されるように制御することを特徴とする請求項８または９記載の映像再生方法。
【請求項１１】
前記記録媒体の倍速再生速度に応じて、前記映像信号に付加される文字情報の表示期間または情報量を制御する工程は、
再生されたクローズドキャプションデータの所定のコントロールコードに続くキャラクタコードから、ピリオドまたはデータ無し部分または次のコントロールコードまでの単位毎に、前記映像信号に付加される文字情報を間引くことを特徴とする請求項８乃至１０いずれかに記載の映像再生方法。
【請求項１２】
前記記録媒体の倍速再生速度に応じて、前記映像信号の所定ラインに重畳されるクローズドキャプションデータの情報量を制御する工程は、
前記記録媒体のｎ倍の倍速再生時に、前記映像信号の所定ラインに重畳されるクローズドキャプションデータの情報量を、通常再生時に比べて１／ｎに間引くことを特徴とする請求項８記載の映像再生方法。
【請求項１３】
前記記録媒体の倍速再生速度に応じて、前記映像信号の所定ラインに重畳されるクローズドキャプションデータの情報量を制御する工程は、
再生されたクローズドキャプションデータの所定のコントロールコードに続くキャラクタコードから、ピリオドまたはデータ無し部分または次のコントロールコードまでの単位毎に、前記映像信号の所定のラインに重畳されるクローズドキャプションデータを間引くことを特徴とする請求項８または１２記載の映像再生方法。
【発明の詳細な説明】
【技術分野】
【０００１】
この発明は、例えばＤＶＤ（Digital Versatile Disk）等に記録された映像信号を再生する映像再生装置及び映像再生方法に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、追記可能なＤＶＤ−Ｒ（Recordable）等がある。
【０００４】
ところで、このＤＶＤにおいても、映像信号とともにクローズドキャプションデータを記録することが可能である。この場合、ＤＶＤフォーマツトでは、ＭＰＥＧ（Moving Picture Experts Group）規格による１ＧＯＰ（Group Of Picture）毎に設定されたユーザデータ領域に、クローズドキャプションデータを記録している。
【０００５】
そして、再生時には、映像信号とクローズドキャプションデータとをそれぞれデコードし、クローズドキャプションデータを映像信号のライン２１に重畳して、クローズドキャプション対応のテレビジョン受信機に供給する。これにより、映像信号とともにクローズドキャプションデータを表示することができる。
【０００６】
しかしながら、ＤＶＤを通常再生速度の整数倍の速度で再生する、いわゆる倍速再生が行なわれると、出力される映像信号のフレーム数が削減される。このため、映像信号のライン２１に重畳することができるクローズドキャプションデータの量も必然的に減少することになり、ライン２１に重畳することができなかったクローズドキャプションデータは切り捨てられることになる。
【０００７】
このように、一部が切り捨てられたクローズドキャプションデータは、テレビジョン受信機で表示しても正しく表示されず、内容が理解できない状態となる。また、クローズドキャプションデータが、その切り捨てられた部分を詰めてデコード処理された場合には、文字化けしたような表示が行なわれることもある。
【０００８】
特許文献１には、デジタルビデオテープレコーダにおいて、早送り再生時に間欠的に再生される音声情報を、クローズドキャプションにより目視で確認できるようにした構成が開示されている。
【０００９】
しかしながら、この特許文献１では、通常再生用データとは別個に特殊再生用データをテープに記録しておき、その特殊再生用データにクローズドキャプションを合成しているため、構成が複雑で十分に実用に適するレベルに達しているとは言えないものである。
【特許文献１】特開２００２−２９０８９４号公報
【発明の開示】
【発明が解決しようとする課題】
【００１０】
そこで、この発明は上記事情を考慮してなされたもので、別個に専用データ等を記録することなく、倍速再生時にも内容が判別可能なクローズドキャプション表示を行なうことができ、十分に実用に適するようにした映像再生装置及び映像再生方法を提供することを目的とする。
【課題を解決するための手段】
【００１１】
この発明に係る映像再生装置は、記録媒体から映像信号とクローズドキャプションデータとを含むデータを読み取る読み取り手段と、読み取り手段で読み取られたデータから映像信号とクローズドキャプションデータとをそれぞれ再生する信号処理手段と、信号処理手段で再生された映像信号に、信号処理手段で再生されたクローズドキャプションデータの文字情報をグラフィック文字として付加するグラフィック制御手段と、記録媒体の倍速再生速度に応じて、グラフィック制御手段により映像信号に付加される文字情報の表示期間または情報量を制御する第１の制御手段と、信号処理手段で再生された映像信号の所定ラインに、信号処理手段で再生されたクローズドキャプションデータを重畳する映像デコーダ手段と、記録媒体の倍速再生速度に応じて、映像デコーダ手段により映像信号の所定ラインに重畳されるクローズドキャプションデータの情報量を制御する第２の制御手段とを備えるようにしたものである。
【００１２】
また、この発明に係る映像再生方法は、記録媒体から映像信号とクローズドキャプションデータとを含むデータを読み取る工程と、読み取られたデータから映像信号とクローズドキャプションデータとをそれぞれ再生する工程と、再生された映像信号に再生されたクローズドキャプションデータの文字情報をグラフィック文字として付加する工程と、記録媒体の倍速再生速度に応じて、映像信号に付加される文字情報の表示期間または情報量を制御する工程と、再生された映像信号の所定ラインに再生されたクローズドキャプションデータを重畳する工程と、記録媒体の倍速再生速度に応じて、映像信号の所定ラインに重畳されるクローズドキャプションデータの情報量を制御する工程とを備えるようにしたものである。
【発明の効果】
【００１３】
上記した発明によれば、記録媒体の倍速再生速度に応じて、映像信号に付加される文字情報の表示期間または情報量を制御するとともに、記録媒体の倍速再生速度に応じて、映像信号の所定ラインに重畳されるクローズドキャプションデータの情報量を制御するようにしたので、別個に専用データ等を記録することなく、倍速再生時にも内容が判別可能なクローズドキャプション表示を行なうことができ、十分に実用に適するものとなる。
【発明を実施するための最良の形態】
【００１４】
以下、この発明の実施の形態について図面を参照して詳細に説明する。図１は、この実施の形態で説明する光ディスク再生装置１１を示している。この光ディスク再生装置１１は、ＤＶＤフォーマットに基づいてデータが記録されている光ディスク１２から、ディスクドライブ部１３によりデータを読み取る。
【００１５】
このディスクドライブ部１３で読み取られたデータは、データプロセッサ部１４に供給されて復調処理された後、ＭＰＥＧ２デコーダ部１５に供給されてデジタルの映像信号に復元される。
【００１６】
そして、このＭＰＥＧ２デコーダ部１５から出力されたデジタルの映像信号は、グラフィック制御部１６に供給されてＧＵＩ（Graphics User Interface）表示の映像信号が付加された後、映像デコーダ部１７に供給される。この映像デコーダ部１７は、入力されたデジタルの映像信号をアナログの映像信号に変換し、外部のモニタ１８に出力して映像表示させる。
【００１７】
ここで、この光ディスク再生装置１１は、上記した再生動作を含むその全ての動作をマイクロコンピュータブロック１９によって統括的に制御されている。このマイクロコンピュータブロック１９は、ＣＰＵ（Central Processing Unit）２０とメモリ部２１とＣＣ（Closed Caption）データ処理部２２とを有しており、キー入力部２３に入力された操作情報を受信し、その操作内容が反映されるように各部をそれぞれ制御している。
【００１８】
この場合、メモリ部２１は、ＣＰＵ２０が実行する制御プログラムを格納した読み出し専用メモリ、ＣＰＵ２０に作業エリアを提供する読み出し書き込みメモリ、各種の設定情報及び制御情報等が格納される不揮発性メモリ等を含んでいる。
【００１９】
ここで、上記ＣＣデータ処理部２２は、ＭＰＥＧ２デコーダ部１５で復調されたデータのユーザデータ内からクローズドキャプションデータを取り込み、そのクローズドキャプションデータに対応する文字情報をグラフィック制御部１６に出力可能となっている。この場合、グラフィック制御部１６では、ＭＰＥＧ２デコーダ部１５から出力された映像信号に、ＣＣデータ処理部２２から出力された文字情報をグラフィック文字として付加して出力している。
【００２０】
また、このＣＣデータ処理部２２は、取り込んだクローズドキャプションデータを映像デコーダ部１７に出力可能となっている。この場合、映像デコーダ部１７では、入力されたクローズドキャプションデータをアナログの映像信号のライン２１に重畳して出力している。
【００２１】
なお、ＣＣデータ処理部２２は、文字情報をグラフィック制御部１６に出力するか、クローズドキャプションデータを映像デコーダ部１７に出力するかを、ユーザによって選定可能となっている。
【００２２】
ここで、ＭＰＥＧ規格による１秒分の映像信号は、図２（ａ）に示すように、２ＧＯＰで構成されている。そして、１ＧＯＰは、図２（ｂ）に示すように、１５フレームで構成されている。
【００２３】
ＤＶＤフォーマットでは、１ＧＯＰ毎にユーザデータ領域があり、ここに１ＧＯＰ分のクローズドキャプションデータが記録されている。この場合、クローズドキャプションデータは、１フレーム当たり２バイトに制約されているので、１ＧＯＰに３０バイト含まれることになる。
【００２４】
ところで、光ディスク１２の２倍速再生時には、出力されるフレーム数が、通常再生時の半分である１５フレームに削減されてしまうので、２ＧＯＰで６０バイト分の全てのクローズドキャプションデータをライン２１に重畳することはできず、余ったクローズドキャプションデータが切り捨てられて正しく表示されなくなる。
【００２５】
そこで、上記マイクロコンピュータブロック１９は、ＣＣデータ処理部２２を介して、光ディスク１２の倍速再生時においては、その倍速再生速度に応じて、グラフィック制御部１６に出力する文字情報及び映像デコーダ部１７に出力するクローズドキャプションデータを制御している。
【００２６】
この制御としては、例えば、倍速再生速度が通常再生速度に近い、例えば２倍速再生のような低倍速再生の場合、表示間隔を短くするようにし、倍速再生速度が例えば１５倍速再生のような高倍速再生の場合、表示間隔を短くするとともに、データを間引いて表示量を少なくするようにしている。
【００２７】
図３及び図４は、このようなマイクロコンピュータブロック１９の制御動作をまとめたフローチャートを示している。すなわち、開始（ステップＳ１）されると、マイクロコンピュータブロック１９は、ステップＳ２で、ＭＰＥＧ２デコーダ部１５で復調されたデータのユーザデータ内からクローズドキャプションデータを取得する。
【００２８】
そして、マイクロコンピュータブロック１９は、ステップＳ３で、倍速再生速度に応じてクローズドキャプションデータを制御するように設定されているか否かを判別し、設定されていないと判断された場合（ＮＯ）には、そのまま処理を終了（ステップＳ１４）する。なお、倍速再生速度に応じてクローズドキャプションデータを制御するように設定するか否かは、ユーザによって選定可能となっている。
【００２９】
また、上記ステップＳ３で倍速再生速度に応じてクローズドキャプションデータを制御するように設定されていると判断された場合（ＹＥＳ）、マイクロコンピュータブロック１９は、ステップＳ４で、グラフィック制御部１６によって映像信号に文字情報をグラフィック文字として付加するように設定されているか否かを判別する。
【００３０】
そして、グラフィック制御部１６によって映像信号に文字情報を付加するように設定されていると判断された場合（ＹＥＳ）、マイクロコンピュータブロック１９は、ステップＳ５で、再生速度を検出し、ステップＳ６で、倍速再生か否かを判別し、倍速再生でないと判断された場合（ＮＯ）には、そのまま処理を終了（ステップＳ１４）する。
【００３１】
また、上記ステップＳ６で倍速再生であると判断された場合（ＹＥＳ）、マイクロコンピュータブロック１９は、ステップＳ７で、低倍速再生か否かを判別し、低倍速再生であると判断された場合（ＹＥＳ）、ステップＳ８で、再生速度が速くなるに連れて文字情報の表示期間を短くするように制御して、処理を終了（ステップＳ１４）する。
【００３２】
一方、上記ステップＳ７で低倍速再生でないと判断された場合（ＮＯ）、マイクロコンピュータブロック１９は、高倍速再生であると判断し、ステップＳ９で、再生速度が速くなるに連れて文字情報の表示期間を文字が視認できる程度まで短くするとともに、表示しきれない文字情報は間引くように制御して、処理を終了（ステップＳ１４）する。
【００３３】
ただし、文字情報を間引く際には、改行情報、ブランク情報、ページ切替情報、句読点等を考慮して、文字の連続性が損なわれたり、文字化けしたような表示形態にならないように制御する。例えば、“ａｂｃｄｅｆｇｈｉｊｋｌｍｎ”の文字列が、“ａｂｃｊｋｉｍｎ”のように、連続する文字列の途中が抜けるような制御を避ける。また、再生速度によって、間引く情報量を算出できるので、その算出結果も制御に利用する。
【００３４】
また、上記ステップＳ４で、グラフィック制御部１６によって映像信号に文字情報を付加するように設定されていないと判断された場合（ＮＯ）、マイクロコンピュータブロック１９は、ステップＳ１０で、映像デコーダ部１７によってクローズドキャプションデータを映像信号のライン２１に重畳するように設定されているか否かを判別し、設定されていないと判断された場合（ＮＯ）、処理を終了（ステップＳ１４）する。
【００３５】
一方、上記ステップＳ１０でクローズドキャプションデータを映像信号のライン２１に重畳するように設定されていると判断された場合（ＹＥＳ）、マイクロコンピュータブロック１９は、ステップＳ１１で、再生速度を検出し、ステップＳ１２で、倍速再生か否かを判別し、倍速再生でないと判断された場合（ＮＯ）には、そのまま処理を終了（ステップＳ１４）する。
【００３６】
また、上記ステップＳ１２で倍速再生であると判断された場合（ＹＥＳ）、マイクロコンピュータブロック１９は、再生速度が速くなるに連れてクローズドキャプションデータを重畳することができるフレーム数が削減することから、ステップＳ１３で、文字情報のない期間を詰めるとともに、再生速度に応じて、クローズドキャプションデータをまとまった単位毎に間引いてライン２１に重畳し、処理を終了（ステップＳ１４）する。
【００３７】
ただし、この場合も、クローズドキャプションデータを間引く際には、改行情報、ブランク情報、ページ切替情報、句読点等を考慮して、文字の連続性が損なわれたり、文字化けしたような表示形態にならないように制御する必要がある。また、再生速度によって、間引くデータ量を算出できるので、その算出結果も制御に利用する。
【００３８】
上記した実施の形態によれば、倍速再生速度に応じて、表示間隔の調整やデータ量の間引きを行なうとともに、データを間引く際には改行情報、ブランク情報、ページ切替情報、句読点等から文字の連続性が損なわれないようにしたので、別個に専用データ等を記録することなく、倍速再生時にも内容が判別可能なクローズドキャプション表示を行なうことができ、十分に実用に適するものとなる。
【００３９】
図５は、上記グラフィック制御部１６によって、映像信号に文字情報を付加することにより、クローズドキャプションデータを表示する場合の、通常再生時、２倍速再生時、５倍速再生時及び１５倍速再生時におけるクローズドキャプションデータの表示形態の一例を示している。
【００４０】
すなわち、通常再生時には、文字情報が、間引かれることなく通常の表示時間で表示される。また、２倍速再生時には、文字情報が、通常再生時の１／２の表示時間で表示され、５倍速再生時には、通常再生時の１／５の表示時間で表示される。さらに、１５倍速再生時には、文字情報が、通常再生時の１／５の表示時間で、かつ、通常再生時の１／３に間引かれて表示される。
【００４１】
表示時間を短くするのは、再生速度が速くなると、それに応じた速度でクローズドキャプションデータも取得されるので、クローズドキャプションデータが取得される速度に応じて表示を切り替えているためである。
【００４２】
また、１５倍速再生時には、文字情報を間引くことと、表示時間を短縮することとを併用している。文字情報の間引き方は、まず、クローズドキャプションデータからキャラクタコードを得るためのコントロールデータを検索し、このコードから続くキャラクタコードを、ピリオド、データ無し、または、次のコントロールコードに達するまで表示する。その後、先に表示に使用したクローズドキャプションデータの、２倍のデータを破棄し、その後のコントロールコードから再度表示することで、文字情報を１／３に間引くことができる。
【００４３】
なお、表示時間を通常再生時の１／２または１／５に短縮するということは、文字情報を、通常再生時に必要なフレーム数の１／５の期間だけ表示するということである。
【００４４】
また、図６は、上記映像デコーダ部１７によって、クローズドキャプションデータを映像信号のライン２１に重畳する場合の、通常再生時、２倍速再生時、５倍速再生時及び１５倍速再生時におけるクローズドキャプションデータの制御形態の一例を示している。
【００４５】
すなわち、通常再生時には、クローズドキャプションデータが、間引かれることなく、全て映像信号のライン２１に重畳される。また、２倍速再生時には、クローズドキャプションデータが、１／２に間引かれてライン２１に重畳され、５倍速再生時には、１／５に間引かれてライン２１に重畳され、１５倍速再生時には、１／１５に間引かれてライン２１に重畳される。
【００４６】
間引き方は、クローズドキャプションデータからキャラクタコードを得るためのコントロールコードを検索し、このコードから続くキャラクタコードを、ピリオド、データ無し、または、次のコントロールコードに達するまでライン２１に重畳する。その後、先にライン２１に重畳したフレーム数の、間引く割合に応じたフレーム分のデータを破棄し、その後のコントロールコードから再度データをライン２１に重畳する。
【００４７】
例えば、１／２に間引く場合は、ライン２１に重畳した分と同じ量のフレーム数のデータを破棄し、１／１５に間引く場合は、ライン２１に重畳した分の１４倍のフレーム数のデータを破棄する。
【００４８】
この場合、２倍速再生程度の速度では、コントロールコードから次のコントロールコードまでのキャラクタコードをライン２１に重畳するのではなく、コントロールコードからピリオドまたはデータ無しの部分までの単位でライン２１に重畳する方が都合がよい。これは、コントロールコードで区切ると、改行部分も含まれるため、文の途中で切れる可能性があるからである。
【００４９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００５０】
【図１】この発明の実施の形態を示すもので、光ディスク再生装置を説明するために示すブロック構成図。
【図２】同実施の形態における倍速再生時にフレーム数が削減されることを説明するために示す図。
【図３】同実施の形態における倍速再生時の制御動作の一部を説明するために示すフローチャート。
【図４】同実施の形態における倍速再生時の制御動作の残部を説明するために示すフローチャート。
【図５】同実施の形態における文字情報を映像信号に付加する場合の各倍速再生時の表示形態の一例を説明するために示す図。
【図６】同実施の形態におけるクローズドキャプションデータを映像信号のライン２１に重畳する場合の各倍速再生時の制御形態の一例を説明するために示す図。
【符号の説明】
【００５１】
１１…光ディスク再生装置。１２…光ディスク、１３…ディスクドライブ部、１４…データプロセッサ部、１５…ＭＰＥＧ２デコーダ部、１６…グラフィック制御部、１７…映像デコーダ部、１８…モニタ、１９…マイクロコンピュータブロック、２０…ＣＰＵ、２１…メモリ部、２２…ＣＣデータ処理部、２３…キー入力部。
【図１】
2005167426.tif 000003
【図２】
2005167426.tif 000004
【図３】
2005167426.tif 000005
【図４】
2005167426.tif 000006
【図５】
2005167426.tif 000007
【図６】
2005167426.tif 000008